(57)【特許請求の範囲】
【請求項１】
光ディスクを記録及び／又は再生する光学ピックアップを備えた光ディスク装置において、
上記光学ピックアップの対物レンズに対する上記光ディスクの回転方向の上流側に配置されて、上記光ディスクの回転によってその光ディスクの表面に発生する空気流を上記対物レンズの表面へ流れないように整流する整流手段を備え、
上記整流手段は、上記光学ピックアップ側から上記光ディスク側に垂直状に立ち上げられた整流板部を有し、当該整流板部の頂部から上記光ディスクの回転方向の上流側に向って突出する突出部を備えた
ことを特徴とする光ディスク装置。
【請求項２】
上記整流板部と上記対物レンズが組み込まれた対物レンズアクチュエータ部との間に空間を設定すると共に、上記整流板部を帯電防止材料で構成するか又は帯電防止処理を施した
ことを特徴とする請求項１に記載の光ディスク装置。
【請求項３】
上記整流板部と上記対物レンズが組み込まれた対物レンズアクチュエータ部との間に空間部を設定すると共に、上記整流板部を上記光学ピックアップのキャリッジに搭載した
ことを特徴とする請求項１に記載の光ディスク装置。
【請求項４】
上記整流板部と上記対物レンズが組み込まれた対物レンズアクチュエータ部との間に空間部を設定すると共に、上記整流板部を上記光ディスクの回転方向の接線方向に対してほぼ直角に配置した
ことを特徴とする請求項１に記載の光ディスク装置。
【発明の詳細な説明】
【０００１】
【発明の属する技術分野】
本発明は、光学ピックアップによって光ディスクにデータを記録及び／又は再生する光ディスク装置であって、特に、対物レンズの防塵対称のための技術分野に属するものである。
【０００２】
【従来の技術】
周知のように、光ディスク装置では、光学ピックアップの対物レンズによってレーザビームのスポット光を光ディスクに照射、集束させて、その反射光を光学系で受光することにより、光ディスクに対するデータの記録及び／又は再生を行っている。従って、空気中に混入しているダストが対物レンズの表面に付着、堆積するようなことがあると、光ディスクへ照射及び反射されるレーザビームの出力低下やフォーカス不良等が発生して、光ディスクに対するデータの記録及び／又は再生にミス（書込みや読取り不良）を招き易い。
【０００３】
そこで、本発明の出願人は、特開平５−２７６４号公報に記載した先願発明によって、光学ピックアップの対物レンズの表面にダストを堆積させないようにした光ディスク装置の発明を先に出願している。
即ち、図１５に示すように、この先願発明のディスクカートリッジ方式の光ディスク装置１０１は、ディスクカートリッジ１０２によってローディングされた光ディスク１０３をスピンドルモータ１０４のディスクテーブル１０５上にチャッキングして矢印ｅ方向に回転駆動すると共に、光学ピックアップ１０６のキャリッジ１０７上に凸状に形成され、対物レンズ１０８及びその２軸アクチュエータ（図示せず）が組み込まれた対物レンズアクチュエータ部１０９をディスクカートリッジ１０２内に挿入して、対物レンズ１０８を光ディスク１０３に近接させる。そして、レーザビームＬＢのスポット光を対物レンズ１０８によって光ディスク１０３に照射及び集束させて、光ディスク１０３に対するシーク及びトラッキングを行うことにより光ディスク１０３に対するデータの記録及び／又は再生を行うようにしたものである。
【０００４】
そして、この先願発明の光ディスク装置１０１は、図１６の（Ａ）に示すように、対物レンズアクチュエータ部１０９の頂上部１０９ａの対物レンズ１０８に近接された位置で、その対物レンズ１０８に対する光ディスク１０３の回転方向（矢印ｅ方向）の上流側の位置に防塵壁１１０を垂直状に取り付け、光ディスク１０３の矢印ｅ方向への回転によってその光ディスク１０３の表面にその回転方向（矢印ｅ方向）と同方向に発生する空気流ＡＲ中に混っているダストＤＴを対物レンズアクチュエータ部１０９の頂上部１０９ａ上で、防塵壁１１０の風上側（矢印ｅ方向の上流側）と対物レンズ１０８の風下側（矢印ｅ方向の下流側）との２箇所に付着、堆積させるようにして、ダストＤＴが対物レンズ１０８の表面１０８ａに付着、堆積されることを未然に防止するようにしたものである。
【０００５】
【発明が解決しようとする課題】
しかし、この先願発明では、ＣＤ（コンパクトディスク）のような低記録密度の光ディスク１０３のように低速度で回転されるものにおいては、対物レンズ１０８に対する高い防塵効果を発揮できるが、ＤＶＤ（デジタル・ビデオディスク）のような高密度記録の光ディスク１０３のように高速度で回転されるものでは、空気流ＡＲ自体も高速となり、その高速の空気流ＡＲの一部が防塵壁１１０と光ディスク１０３との間の隙間１１１を通過する際に、その防塵壁１１０の風下側の負圧領域ＮＰへ巻き込まれる空気流ＡＲの渦ＡＲ1 が発生し、図１６の（Ｂ）に示すように、その渦ＡＲ1 中に混っているダストＤＴが防塵壁１１０の風下側に近接されている対物レンズ１０８の表面１０８ａに付着、堆積され易いと言う問題があった。
【０００６】
本発明は、上記の問題を解決するためになされたものであって、光ディスクが高速度で回転されるものであっても、対物レンズの表面にダストが付着、堆積されることがないようにした光ディスク装置を提供することを目的としている。
【０００７】
【課題を解決するための手段】
上記の目的を達成するための本発明の光ディスク装置は、光ディスクを記録及び／又は再生する光学ピックアップを備えた光ディスク装置において、上記光学ピックアップの対物レンズに対する上記光ディスクの回転方向の上流側に配置されて、上記光ディスクの回転によってその光ディスクの表面に発生する空気流を上記対物レンズの表面へ流れないように整流する整流手段を備え、上記整流手段は、上記光学ピックアップ側から上記光ディスク側に垂直状に立ち上げられた整流板部を有し、当該整流板部の頂部から上記光ディスクの回転方向の上流側に向って突出する突出部を備えたものである。
【０００８】
上記のように構成された本発明の光ディスク装置は、光学ピックアップの対物レンズに対する光ディスクの回転方向の上流側に配置されて、光ディスクの回転によってその光ディスクの表面に発生する空気流を対物レンズの表面へ流れないように整流する整流手段を備え、当該整流手段は、光学ピックアップ側から光ディスク側に垂直状に立ち上げられた整流板部を有し、かつ、当該整流板部の頂部から光ディスクの回転方向の上流側に向かって突出する突出部を備えているので、光ディスクが高速で回転される場合でも、光ディスクの表面に発生する空気流を整流板部と突出部によって光ディスクの表面から剥離するように呼び込んで、整流板部で光ディスクの外周側へ誘導するように整流することができる。
【０００９】
【発明の実施の形態】
以下、本発明を適用した光ディスク装置の実施の形態を図１〜図１４を参照して説明する。
【００１０】
「対物レンズ防塵装置の説明」
まず、図１〜図７によって、本発明のトレー方式の光ディスク装置５に適用された対物レンズ防塵装置８１の第１の実施形態を説明すると、キャリッジ４３の頂上部４３ａ上に光ディスク１に向って凸状に形成された対物レンズアクチュエータ部４４が搭載されていて、その対物レンズアクチュエータ部４４内に２軸アクチュエータ４５と一緒に組み込まれた対物レンズ４２がその対物レンズアクチュエータ部４４の頂上部４４ａに露出されている。そして、キャリッジ４３の頂上部４３ａで、光ディスク１の回転方向（矢印ｅ方向）の上流側に、対物レンズアクチュエータ部４４に対して空間ＡＧを隔てた位置に整流手段取付台４３ｂが形成されていて、その整流手段取付台４３ｂ上に整流手段８２がビス８３によって取り付けられている。この整流手段８２は合成樹脂やゴム等によって成形されていて、光ディスク１と平行なベース板部８２ａと、そのベース板部８２ａの一端から光ディスク１側に垂直状に立ち上げられた整流板部８２ｂとによって断面形状がほぼＬ型に構成されている。そして、ベース板部８２ａが整流手段取付台４３ｂ上にビス８３によって取り付けられていて、整流板部８２ｂは、光ディスク１の矢印ｅ方向への回転によってその表面に矢印ｅ方向と同方向に発生する空気流ＡＧを光ディスク１の外周側へ誘導するように整流するために平面形状がほぼＬ型に弯曲されている。そして、この整流手段８２は帯電防止材料で成形されるか、又は、この整流手段８２の表面に帯電防止処理が施されている。
【００１１】
従って、ＤＶＤのような高密度記録の光ディスク１をスピンドルモータ３９のディスクテーブル４０上にチャッキングして、その光ディスク１をスピンドルモータ３９によって３６００ｒｐｍ以上の高速度で回転駆動しながら、対物レンズ４２によってレーザビームＬＢのスポット光を光ディスク１に照射及び集光させ、キャリッジ４３によって対物レンズ４２を矢印ａ、ｂ方向へシークすると共に、２軸アクチュエータ４５によってトラッキングを行うようにして、光ディスク１にデータを高密度で記録及び／又は再生する際に、光ディスク１の表面に矢印ｅ方向と同方向で、かつ、高速の空気流ＡＲが発生する。一方、キャリッジ４３上に搭載されている整流手段８２は対物レンズ４２に対する風上側（矢印ｅ方向の上流側）の位置で、対物レンズアクチュエータ部４４との間に空間ＡＧを保った状態で、キャリッジ４３によって対物レンズ４２と一緒に矢印ａ、ｂ方向に移動される。
【００１２】
そして、高速の空気流ＡＲの大部分は整流手段８２における整流板部８２ｂの風上側（矢印ｅ方向の上流側）の側面８２ｂ1 に衝突して、光ディスク１の外周側へ誘導されるので、この空気流ＡＲの大部分が対物レンズ４２の表面４２ａへ流れることを未然に防止することができる。
【００１３】
しかし、この整流手段８２の整流板部８２ｂと光ディスク１との間には約１ｍｍ程度の隙間８４が存在するために、高速の空気流ＡＲの一部がこの隙間８４を通って対物レンズ４２側へ流れ、その整流板部８２ｂの風下側（矢印ｅ方向側）の負圧領域ＮＰに空気流ＡＲの渦ＡＲ1 が発生する。ところが、この負圧領域ＮＰは対物レンズアクチュエータ部４４から隔てられた空間ＡＧ内に存在するために、その渦ＡＲ1 中に混っているダストＤＴは対物レンズ４２の表面４２ａまで飛散することがなく、その整流板部８２ｂの風下側の側面８２ｂ2 に付着、堆積するに留まる。しかも、整流手段８２が帯電防止材料で成形されているか、又は、その表面に帯電防止処理が施されていることから、整流板部８２ｂの側面８２ｂ2 に付着、堆積するダストＤＴの量も大幅に低減することができる。従って、その整流手段８２に付着、堆積されたダストＤＴが再度舞い上って対物レンズ４２の表面４２ａに付着、堆積することも殆んどない。
【００１４】
以上により、本発明の光ディスク装置５によれば、３６００ｒｐｍ以上の高速度で回転しても、対物レンズ４２の表面４２ａに空気中のダストＤＴが付着、堆積されることがなく、対物レンズ４２によって光ディスク１へ照射及び反射されるレーザビームＬＢの出力低下やフォーカス不良等が全く発生しないので、光ディスク１に対するデータの記録及び／又は再生ミス（書込みや読取り不良）を招かず、そのデータの記録及び／又は再生を常に高精度に安定して行うことができる。なお、本発明の発明者は、現在のＣＤの回転速度のほぼ２４倍に相当する５０００ｒｐｍの高速度で１２時間連続回転し、この１２時間分を１年間として５年間相当分を連続して実験したが、前述したように、対物レンズ４２の表面４２ａにダストＤＴが付着、堆積されることがなかった。
【００１５】
次に、図８によって、本発明の対物レンズ防塵装置８１の第２の実施形態を説明すると、この場合は、整流手段８２の整流板部８２ｂの頂部から光ディスク１の回転方向（矢印ｅ方向）の上流側に向って突出する空気流呼込み用の突出部である庇８２ｃを一体成形したものであり、光ディスク１の高速度の回転によってその表面に発生する空気流ＡＲをこの庇８２ｃによって光ディスク１の表面から剥離するように呼び込んで、整流板部８２ｂの側面８２ｂ1 で光ディスク１の外周側へ誘導するように整流することができるようにしたものである。
【００１６】
そして、このような庇８２ｃを設けることによって、整流板部８２ｂと光ディスク１との間の隙間８４から対物レンズ４２側へ流れる空気流ＡＲ1 の量を少なくすることができて、対物レンズ４２の表面４２ａにダストＤＴが付着、堆積することをより一層確実に防止することができる。
【００１７】
次に、図９及び図１０によって、本発明の対物レンズ防塵装置８１の第３の実施形態を説明すると、この場合は、光ディスク１の接線方向に対してほぼ直角状に配置した直線板状の整流手段８２をキャリッジ４３以外の場合、例えば、後述する光学ピックアップ４１の昇降フレーム１６やディスクトレー２に搭載したものであり、この場合は、整流手段８２を対物レンズ４２のシーク方向の移動領域の全域に亘って直線状に設ける必要がある。そして、このような直線板状の整流手段８２によっても第１及び第２実施形態と同等の効果を奏することができる。しかも、整流手段８２をキャリッジ４３に搭載すると、キャリッジ４３の重量増加や空気流ＡＲを整流手段８２が受け止めることによる空気抵抗によって、キャリッジ４３の矢印ａ、ｂ方向のシーク動作時のイナーシャが重くなるが、整流手段８２をキャリッジ４３以外の場所に取り付ければ、キャリッジ４３のシーク動作を軽快に行えて、高速アクセスが可能になる。
【００１８】
「光ディスク装置の全体説明」
次に、図１〜図１４によって、光ディスク装置５の全体について説明する。
即ち、まず、図１３に示すように、ディスク状記録媒体であるＣＤやＤＶＤのような光ディスク１をディスクトレー２のトレー本体２Ａの上面に形成された凹所３内に水平に載置した後に、ディスクトレー２のトレーフロントパネル２Ｂを矢印ａ方向に軽く押すと、ローディングスイッチ（図示せず）がＯＮとなり、後述するローディング機構によって、図１４に示すように、ディスクトレー２がトレー出入口４から光ディスク装置５のディスク装置本体６内にローディング方向である矢印ａ方向から水平に引き込まれて、後述するように光ディスク１がスピンドルモータのディスクテーブル上に水平に自動的にローディングされる。
【００１９】
そして、このローディング後に、ホストコンピュータからの記録及び／又は再生指令信号等によって、スピンドルモータによって光ディスク１が高速で回転駆動され、光学ピックアップによって光ディスク１にデータが記録及び／又は再生される。そして、この光ディスク１の再生後に、ホストコンピュータからのイジェクト指令信号等によって、図１３に示すように、ディスクトレー２がトレー出入口４からディスク装置本体６外にアンローディング方向である矢印ｂ方向に自動的にアンローディングされる。
【００２０】
次に、図１〜図１２に示すように、ディスクトレー２の水平なトレー本体２Ａと、矢印ａ、ｂ方向に対して直角で、かつ、垂直状のトレーフロントパネル２Ｂは合成樹脂等によって成形されていて、トレー本体２Ａの凹所３の中央部から後端部（矢印ａ方向側の端部）側にかけてローディング及びアンローディング方向である矢印ａ、ｂ方向と平行なトレーセンターＰ1 に沿った長穴状の底面開口８が形成されている。そして、このディスクトレー２はローディング機構のトレー移動機構（図示せず）によってディスク装置本体６に対して矢印ａ、ｂ方向に水平に出し入れ駆動されるように構成されている。
【００２１】
次に、ディスク装置本体６の内部には合成樹脂等によって成形されたほぼ箱型で浅いシャーシ１４が設けられていて、このシャーシ１４の底部１４ａ上に合成樹脂や板金等によって成形された昇降フレーム１６が取り付けられている。この昇降フレーム１６には、後端部１６ａ側の左右両側の２箇所と、前端部１６ｂ側の左右両側の２箇所にインシュレータ取付部１７、ゴム等の弾性部材で構成された緩衝器である合計４つのインシュレータ１９、２０が取り付けられている。そして、昇降フレーム１６の後端部１６ａに取り付けられた左右一対のインシュレータ１９がこれらの中央に挿通された止ネジ２１によってシャーシ１４の底部１４ａ上に取り付けられて、昇降フレーム１６の前端部１６ｂに取り付けられた左右一対のインシュレータ２０がその中央に挿通された止ネジ２２によって昇降駆動レバー２３の先端上に取り付けられている。そして、この昇降駆動レバー２３によって、昇降フレーム１６がその後端部１６ａ側の左右一対のインシュレータ１９を回動支点にした上下方向の回転運動によって矢印ｃ、ｄ方向に昇降駆動されるように構成されている。
【００２２】
そして、ローディング機構は、ローディングモータ（図示せず）によって回転駆動されるカムレバー３４を有していて、このカムレバー３４がシャーシ１４の底部１４ａの前端側の上部に回転自在に取り付けられている。そして、昇降駆動レバー２３の前端のほぼ中央部に取り付けられたカム従動ピン３６がカムレバー３４のカム溝３５内に挿入されている。そして、ローディング時には、ローディングモータによってディスクトレー２を図１３に示す光ディスク装置５外のアンローディング位置から図１２及び図１４に示す光ディスク装置５内のローディング位置まで矢印ａ方向に水平に引き込んだ後に、カムレバー３４のカム溝３５によって昇降駆動レバー２３の先端のカム従動ピン３６を上方である矢印ｃ方向に上昇駆動して、その昇降駆動レバー２３でインシュレータ２０を介して昇降フレーム１６を図１１に示す斜め下方に傾斜された下降位置から図１２に示すように上昇されて水平となる上昇位置まで左右一対のインシュレータ１９を中心に矢印ｃ方向に上昇駆動する。そして、ディスクトレー２のアンローディング時には、ローディング時の逆動作で、カムレバー３４のカム溝３５によってカム従動ピン３６を下方である矢印ｄ方向に下降駆動して、昇降駆動レバー２３でインシュレータ２０を介して昇降フレーム１６を左右一対のインシュレータ１９を中心に図１２に示す上昇位置から図１１に示す下降位置まで矢印ｄ方向に下降駆動した後、ディスクトレー２を図１２及び図１４に示す光ディスク装置５内のローディング位置から図１３及び図１１に示す光ディスク装置５外のアンローディング位置まで矢印ｂ方向に押し出すものである。
【００２３】
次に、昇降フレーム１６の凹所２５内で、前端部１６ｂ側に偏位された位置にスピンドルモータ３９が垂直状に取り付けられていて、そのモータ軸３９ａの上端に金属等の磁性部材で構成されたディスクテーブル４０が水平状に固着されている。なお、ディスクテーブル４０の上部中央には光ディスク１の中心穴１ａが嵌合されるセンターリングガイド４０ａが一体に形成されている。また、昇降フレーム１６の凹所２５内でスピンドルモータ３９より後方側に光学ピックアップ４１が水平状に取り付けられている。そして、この光学ピックアップ４１は、対物レンズ４２が搭載されたキャリッジ４３を有しており、対物レンズ４２に対してレーザービームを送受信する光学ブロックがそのキャリッジ４４の側面に一体に取り付けられている。なお、キャリッジ４３上に光ディスク１に向って凸状に形成された対物レンズアクチュエータ部４４が搭載されていて、その対物レンズアクチュエータ部４４の頂上部４４ａに対物レンズ４２が２軸アクチュエータ４５によって組み込まれている。
【００２４】
そして、昇降フレーム１６には、キャリッジ４３を左右一対のガイド軸４６に沿って矢印ａ、ｂ方向に直線移動させるキャリッジ移動機構４７が取り付けられていて、このキャリッジ移動機構４７は、キャリッジ駆動モータ４８によってギアトレイン４９を介して正逆回転駆動されるピニオン５０と、キャリッジ４４の一側面に取り付けられて、ピニオン５０によって直線駆動されるラック５１とを備えている。なお、スピンドルモータ３９及び対物レンズ４２はトレーセンターＰ1 上に配置されていて、対物レンズ４２はそのトレーセンターＰ1 に沿って矢印ａ、ｂ方向に移動されるように構成されている。
【００２５】
そして、ディスクトレー２の上部を横切るようにして、シャーシ１４の左右両側板の上端部間に、板金等にて成形されたクランパー支持部材５２が水平に架設されていて、ディスクテーブル４０の真上位置で、クランパー支持部材５２の中央位置に形成された円形穴５４内に非磁性部材である合成樹脂にて成形された円板状のディスククランパー５３が上下、左右及び前後に一定範囲内で移動自在に保持されている。なお、ディスククランパー５３の上端の外周に一体成形されたフランジ５３ａを下方から受け止めるクランパー受け５２ａがクランパー支持部材５２の円形穴５４の外周に一体に形成されている。そして、このディスククランパー５３の中央上部には円板状のマグネット５５が水平に埋設されている。また、シャーシ１４の上部にはクランパー支持部材５２の上部を跨ぐようにして磁性部材である板金にて成形された後述する上カバー６２が取り付けられている。
【００２６】
従って、図１２に示すように、ディスクトレー２によって光ディスク１がディスク装置本体６内に矢印ａ方向から水平にローディングされた後、昇降フレーム１６が上昇位置まで矢印ｃ方向に上昇されて水平になった時、ディスクテーブル４０がディスクトレー２の底面開口８から上方に挿通されて、そのディスクテーブル４０のセンターリングガイド４０ａが光ディスク１の中心穴１ａに下方から嵌合される。そして、そのディスクテーブル４０によって光ディスク１がディスクトレー２の凹所３内で上方に浮かされると共に、ディスククランパー５３がクランパー支持部材５２のフランジ受け５２ａから上方に僅かに浮上される。この時に、ディスククランパー５３がその下面に近接されたディスクテーブル４０にマグネット５５の磁気吸引力によってディスクテーブル４０上に吸引されて、そのディスククランパー５３によって光ディスク１がディスクテーブル４０上に水平にチャッキングされる。
【００２７】
そして、ホストコンピュータからの記録及び／又は再生指令信号等によって、スピンドルモータ３９によって光ディスク１が３６００ｒｐｍ以上の高速度で回転駆動されると共に、キャリッジ移動機構４７によって光学ピックアップ４１のキャリッジ４３が矢印ａ、ｂ方向に移動されて、対物レンズ４２がトレーセンターＰ1 に沿って矢印ａ、ｂ方向にシークされる。そして、光学ブロックから送信されるレーザービームＬＢのスポット光が対物レンズ４２によって光ディスク１の下面に照射、集束されると共に、その反射光が対物レンズ４２を通して光学ブロックで受信されて、光ディスク１にデータが記録及び／又は再生される。
【００２８】
なお、キャリッジ移動機構４７は、キャリッジ駆動モータ４８によってギアトレイン４９を介して正逆回転駆動されるピニオン５０がラック５１を直線駆動することによって、キャリッジ４３を左右一対のガイド軸４６に沿って矢印ａ、ｂ方向に移動する。そして、光ディスク１の記録及び／又は再生後に、ホストコンピュータからのイジェクト指令信号等によって、図１１に示すように、昇降フレーム１６が下降位置まで矢印ｄ方向に下降されて、ディスクテーブル４０がディスククランパー５３からチャッキング解除されて光ディスク１の下方に離脱された後に、光ディスク１がディスクトレー２の凹所３内に水平に載置されて、ディスク装置本体６外に矢印ｂ方向に水平にアンローディングされる。
【００２９】
以上、本発明の実施の形態について説明したが、本発明は上記した実施の形態に限定されることなく、本発明の技術的思想に基づいて各種の変更が可能である。
【００３０】
【発明の効果】
以上のように構成された本発明の光ディスク装置は、次のような効果を奏することができる。
【００３１】
請求項１は、光学ピックアップの対物レンズに対する光ディスクの回転方向の上流側に配置されて、光ディスクの回転によってその光ディスクの表面に発生する空気流を対物レンズの表面へ流れないように整流する整流手段を備え、当該整流手段は、光学ピックアップ側から光ディスク側に垂直状に立ち上げられた整流板部を有し、かつ、当該整流板部の頂部から光ディスクの回転方向の上流側に向って突出する突出部を備えていて、光ディスクが高速で回転される場合でも、光ディスクの表面に発生する空気流を整流板部と突出部によって光ディスクの表面にから剥離するように呼び込んで、整流板部で光ディスクの外周側へ誘導するように整流することができるようにしたので、光ディスクを高速度で回転しても、ダストが対物レンズの表面に付着、堆積されることがなく、データの記録及び／又は再生を高精度に安定して行うことができて、光ディスク装置の高い対物レンズの防塵性能及び高耐久性を確保することができる。
【００３２】
請求項２は、整流板部と対物レンズが組み込まれた対物レンズアクチュエータ部との間に空間を設定すると共に、整流板部を帯電防止材料で構成するか又は帯電防止処理を施したので、整流板部と光ディスクとの間の空間から対物レンズ側へ流れる空気流の量をより一層少なくすることができて、対物レンズの表面にダストが付着、堆積することをより一層確実に防止することができる。
【００３３】
請求項３は、整流板部と対物レンズが組み込まれた対物レンズアクチュエータ部との間に空間部を設定すると共に、整流板部を光学ピックアップのキャリッジに搭載したので、この整流板部を対物レンズと一緒に移動することができて、この整流板部の小型、軽量化による低コスト化を実現できる。
【００３４】
請求項４は、整流板部と対物レンズが組み込まれた対物レンズアクチュエータ部との間に空間部を設定すると共に、整流板部を光ディスクの回転方向の接線方向に対してほぼ直角に配置したので、対物レンズの防塵性能及び高耐久性をより一層確保することができる。
【図面の簡単な説明】
【図１】本発明を適用した光ディスク装置の対物レンズ防塵装置の第１の実施形態を説明する図２のＡ−Ａ矢視での断面図である。
【図２】図１の平面図である。
【図３】図２の要部の斜視図である。
【図４】レンズ防塵装置の第１の実施形態と昇降フレームのキャリッジ移動機構を示した斜視図である。
【図５】図４の平面図である。
【図６】図５のＢ−Ｂ矢視で示した側面図である。
【図７】図５のＣ−Ｃ矢視で示した正面図である。
【図８】本発明の対物レンズ防塵装置の第２の実施形態を示した図１と同様の断面図である。
【図９】本発明の対物レンズ防塵装置の第３の実施形態を示す図１０のＤ−Ｄ矢視での断面面である。
【図１０】図９の平面図である。
【図１１】本発明の光ディスク装置のローディング機構のアンローディング状態を示した断面側面図である。
【図１２】同上のローディング機構のローディング状態を示した断面側面図である。
【図１３】本発明の光ディスク装置のディスクトレーのアンローディング状態を示した斜視図である。
【図１４】同上のディスクトレーのローディング状態を示した斜視図である。
【図１５】先願発明の光ディスク装置のディスクカートリッジ、スピンドルモータ及び光学ピックアップを示した断面図である。
【図１６】先願発明の対物レンズ防塵装置を説明する断面側面図である。
【符号の説明】
１は光ディスク、５は光ディスク装置、１４は光学ピックアップ、４２は対物レンズ、４３はキャリッジ、４４は対物レンズアクチュエータ部、８１は対物レンズ防塵装置、８２は整流手段、８２ａは整流手段のベース板部、８２ｂは整流手段の整流板部、８４は隙間、ＡＲは空気流、ＡＲ1 は空気流の渦である。
【図１】
0004032499.tif 000002
【図２】
0004032499.tif 000003
【図３】
0004032499.tif 000004
【図４】
0004032499.tif 000005
【図５】
0004032499.tif 000006
【図６】
0004032499.tif 000007
【図７】
0004032499.tif 000008
【図８】
0004032499.tif 000009
【図９】
0004032499.tif 000010
【図１０】
0004032499.tif 000011
【図１１】
0004032499.tif 000012
【図１２】
0004032499.tif 000013
【図１３】
0004032499.tif 000014
【図１４】
0004032499.tif 000015
【図１５】
0004032499.tif 000016
【図１６】
0004032499.tif 000017